(57)【要約】【課題】屋内・室内の乱反射環境でも良好で常に安定したテレビ視聴が行えるアンテナ一体型のテレビ受信装置を提供すること。【解決手段】シャーシ本体に取り付けられた水平方向の偏波を受信する２つ以上の水平偏波用アンテナと、シャーシ本体に取り付けられた垂直方向の偏波を受信する垂直偏波用アンテナと、２つ以上の水平偏波用アンテナと垂直偏波用アンテナが受信した３つ以上の信号を搬送波位相が重なるように位相調整し重み付けを行って合成する合成部と、合成部が合成した信号を復調する復調部を備え、２つ以上の水平偏波用アンテナは互いに指向性放射パターンが補完関係になるように配置されていることにより、垂直偏波および水平偏波、水平面のいずれの方向からの到来波も利用し合成活用することで、受信信号の信号対雑音比を積極的に高めることができ、より良好で安定したテレビ視聴を行える。【選択図】図１
2012094931.tif 000002
【特許請求の範囲】
【請求項１】
所定方向の偏波を送信する放送局からの放送波を屋内室内にて受信するテレビ受信装置であって、
前記テレビ受信装置は、
シャーシ本体と、
前記シャーシ本体に取り付けられた水平方向の偏波を受信する２つ以上の水平偏波用アンテナと、
前記シャーシ本体に取り付けられた垂直方向の偏波を受信する１つ以上の垂直偏波用アンテナと、
前記２つ以上の水平偏波用アンテナと前記１つ以上の垂直偏波用アンテナが受信した３つ以上の信号を搬送波位相が重なるように位相調整し重み付けを行って合成する合成部と、
前記合成部が合成した信号を復調する復調部と
を備え、
前記２つ以上の水平偏波用アンテナは互いに指向性放射パターンが補完関係になるように配置されていることを特徴とするテレビ受信装置。
【請求項２】
水平偏波用アンテナは２つで構成され、
垂直偏波用アンテナは１つで構成され、
前記２つの水平偏波用アンテナと前記１つの垂直偏波用アンテナがすべて互いに直交する配置となっていることを特徴とする請求項１に記載のテレビ受信装置。
【請求項３】
２つ以上の水平偏波用アンテナの内の少なくとも１つ以上のアンテナが方向を可動できることを特徴とする請求項１に記載のテレビ受信装置。
【請求項４】
室外アンテナ、或いは、室内アンテナを接続する外部アンテナ接続端子と、
外部アンテナ接続端子とシャーシ本体に取り付けられたアンテナの内のいずれかのアンテナとを切替えるアンテナ切替部と
を備えたことを特徴とする請求項１に記載のテレビ受信装置。
【発明の詳細な説明】
【技術分野】
【０００１】
本発明は屋内・室内の乱反射環境にてテレビ放送を受信するテレビ受信装置に関するものである。
【背景技術】
【０００２】
今日はテレビの視聴スタイルが様々になっている。そのため、屋外にアンテナを設置し、ケーブル敷設工事を行って設けた壁面アンテナ端子に、テレビ受信装置からのケーブルを繋ぎ込む通常の設置形態では、壁面アンテナ端子のある部屋で、しかも壁面アンテナ端子に近い場所にしかテレビ受信装置を設置できず、自由な視聴スタイルに対して強い制約条件となる。つまり屋内・室内にて、どこにでも持ち運べ、好きな所に置いたらすぐに使える、言わばフリースタイルのテレビ受信装置は、極めて魅力的である。
【０００３】
従来の壁面アンテナ端子に制約を受けない屋内・室内用テレビ受信装置は、室内に設置したアンテナ、いわゆる室内アンテナで放送波を受信、アンテナ線にてテレビ受信装置に接続し、視聴するのが一般的である。
【０００４】
図２２において、従来のアンテナの第１の例は、図２２（ａ）にように、アンテナ６００の中に８の字型のアンテナ素子６１０とその背面に反射板６２０を有しており、小型ではあるが単一方向に指向性を絞り、アンテナ利得を得ることができるアンテナが開示されている（特許文献１）。そして、小型であることを活かして、当該アンテナ６００を室内に設置し、ケーブルにてテレビ受信装置に接続、室内にて視聴する形態も開示されている。図２２（ｂ）のように、屋内・室内の受信においては、電波の建物への侵入透過損失によって、電界強度が低下して、良好な受信は難しい。そのため、テレビ受信装置６５０の前側方の近くの窓６６０から差し込む到来電波を狙って、アンテナ指向性の方向を前方６００ａないし側方６００ｂの適切な向きに設置することで改善する方法が提案されている。
【０００５】
図２３において、従来のアンテナの第２の例は、図２３（ａ）のように放物面状に見える構造体７１０を有し。図２３（ｂ）および図２３（ｃ）のように放物面状に見える構造体７１０の背面には、溝７２０が設けられており、図２３（ｄ）に正面図、図２３（ｅ）に側面図に示すようなアンテナエレメント７３０が収められており、通常のダイポールの８の字型の指向特性より側方の指向特性の窪みを軽減し、指向特性を逆に弱めた室内アンテナが開示されている（特許文献２）。指向特性を逆に弱めることで、特定の方向からの到来波に対し、アンテナの置く向きにより、受信状況が極端に悪くならないようにすることができる方法が提案されている。なお、併せて、特許文献２には、上述の変形ダイポールとロッドアンテナ７４０をスイッチ７５０で切り替え、置いた場所で受信状態の良好な方を用いる考えも開示されている。
【０００６】
図２４において、従来のアンテナの第３の例は、図２４（ａ）のようにテレビ受信装置８００が表示部８１０とキーボード８２０との一体型になっている。そして、図２４（ｂ）のようにキーボード８２０の内部に室内アンテナ８２１を内蔵している。室内アンテナ８２１は、テレビ受信装置８００の本体に取り付けられている代わりに、室内アンテナ８２１の給電エレメントの前後にある無給電エレメントに装荷されたバラクタダイオードへの印加電圧を制御することで、アンテナ指向性の方向を適切に制御することができる（特許文献３）。当該方法は、アンテナとテレビ受信装置間のケーブルを省いて一体の構造にできるため、フリースタイルの観点では、機動性が高まって好ましい。
【０００７】
図２５において、従来のアンテナの第４の例は、図２５のように矩形リング状に変形されたダイポール９１０と、L字型に変形されたモノポールアンテナ９２０を組み合わせ、良い方のアンテナを切り替え選択する、屋外・車載での移動環境用のダイバーシチアンテナが提案されている（特許文献４）。矩形リング状に変形されたダイポール９１０は、特許文献２と同様、水平偏波を受信しつつ、通常のダイポールの８の字型と異なり、ほぼ無指向性の指向特性を得ることができる。また、Ｌ字型に変形されたモノポールアンテナ９２０は、水平偏波成分だけでなく、垂直立ち上がり部分で垂直偏波成分も拾うことができる。移動環境では、各アンテナの受信信号レベルが異なる変動をすることを利用するダイバーシチ効果による改善が期待できるが、屋内・室内での半固定受信においては、このようなダイバーシチによる改善効果は期待できないが、特許文献２と同様、置いた場所で受信状態の良好な方を選択的に用いる考えは共通している。
【特許文献１】特開２００８−１１８３５３号公報
【特許文献２】特許第２６７５９７３号公報
【特許文献３】特許第３８４７３０１号公報
【特許文献４】特許第３１６５４６５号公報
【発明の開示】
【発明が解決しようとする課題】
【０００８】
しかしながら、一般的に、屋内・室内に設置したアンテナによるテレビ受信においては、放送局方向に開口する窓が近くにある場合を除き、屋内・室内に侵入した電波は壁・天井・床や家具等で多重反射伝搬を経た結果、色々な方向から電波が到来し、しかも、反射によって偏波面が回転するので、特許文献１あるいは３のような前記従来の構成では、利得最大の単方向からの、しかも、特定の偏波面の到来波以外はうまく活かせず、受信状況を改善できないことが多い。一方、特許文献２あるいは４のような前記従来の構成では、エレメントを変形する等により指向性を広げた場合、あるいは、エレメントの変形や傾斜なども加えて垂直偏波・水平偏波の両方を受けられるようにした場合、色々な到来方向や偏波の電波を拾えるが、反面、任意の方向・任意の偏波におけるアンテナ利得は全体に低下してしまうために、結局、受信状況を改善できない。また、特許文献２あるいは４のように、複数のアンテナにおいて、良好な方のアンテナを選択切り替える前記従来の構成においても、半固定の使用スタイルでは、移動の場合とは違って、異なる変動を利用したダイバーシチとしての改善効果も期待できないため、様々な到来方向および偏波に到来波電力が分散している場合は、結局、すべてのアンテナの受信電力を有効に活かせないので、受信状況はあまり改善されない。
【０００９】
本発明は、前記従来の課題を解決するもので、屋内・室内の乱反射環境で、受信アンテナはテレビ受信装置に一体化しており、当該アンテナ付きテレビ受信装置を無造作にどこに置いても、水平偏波成分・垂直偏波成分のいずれの方向からの到来波の電力を効率的に活かし、良好で常に安定したテレビ視聴が行えるテレビ受信装置を提供することを目的とする。
【課題を解決するための手段】
【００１０】
前記従来の課題を解決するために、本発明のテレビ受信装置は、所定方向の偏波を送信する放送局からの放送波を屋内室内にて受信するテレビ受信装置であって、シャーシ本体と、シャーシ本体に取り付けられた水平方向の偏波を受信する２つ以上の水平偏波用アンテナと、シャーシ本体に取り付けられた垂直方向の偏波を受信する１つ以上の垂直偏波用アンテナと、２つ以上の水平偏波用アンテナと１つ以上の垂直偏波用アンテナが受信した３つ以上の信号を搬送波位相が重なるように位相調整し重み付けを行って合成する合成部と、合成部が合成した信号を復調する復調部を備え、２つ以上の水平偏波用アンテナは互いに指向性放射パターンが補完関係になるように配置されていることを特徴とする。
【００１１】
本構成によって、水平偏波成分および垂直偏波成分のどちらに対しても、水平面のいずれの方向からの到来波も合成活用することで受信信号の信号対雑音比を積極的に高めることができ、より良好で安定したテレビ視聴を行える。
【発明の効果】
【００１２】
本発明のテレビ受信装置によれば、屋内・室内の乱反射環境にて、アンテナ付きテレビ受信装置を無造作にどこに置いても、垂直偏波および水平偏波、水平面のいずれの方向からの到来波も利用し合成することで、受信信号の信号対雑音比を積極的に高めることができ、より良好で安定したテレビ視聴を行える。
【発明を実施するための最良の形態】
【００１３】
以下本発明を実施するための最良の形態について、図面を参照しながら説明する。
【００１４】
（実施の形態１）
まず、本発明の実施の形態１におけるテレビ受信装置のアンテナの構成について説明する。図１は、基本アンテナ構成図である。
【００１５】
図１において、図１（ａ）はテレビ受信装置１００の正面からの投影図、図１（ｂ）はテレビ受信装置１００の斜め後方からの投影図を示す。テレビ受信装置１００は表示部１５０、支持体１０３、シャーシ本体１０２、さらに本実施例では、シャーシ本体１０２に取り付けられたアンテナ部１９０として、モノポールアンテナ１９１、ダイポールアンテナ１９２、スリーブアンテナ１９３の３つのアンテナで構成されている。
【００１６】
アンテナ部１９０は、モノポールアンテナ１９１が水平面に対して鉛直になる配置、ダイポールアンテナ１９２が水平面に対しての平行な配置、スリーブアンテナ１９３が水平面に対して平行で、かつ、ダイポールアンテナ１９２と直交する配置となっており、アンテナ部１９０はこれら３つのアンテナのエレメントが互いに直交する配置となっている。なお、スリーブアンテナ１９３は、給電同軸線のλ／４長の中心導体と先端が開放となるλ／４長の同軸外皮導体からなる一種のダイポールアンテナである。
【００１７】
次に、本発明の実施の形態１におけるテレビ受信装置のアンテナ指向性放射パターンについて説明する。図２は各アンテナの水平面の指向性放射パターン図、図３は重ね合わせた水平面指向性放射パターン図である。
【００１８】
図２において、各々、図２（ａ）はモノポールアンテナ１９１の水平面における垂直偏波成分の指向性放射パターン、図２（ｂ）はダイポールアンテナ１９２の水平面における水平偏波成分の指向性放射パターン、図２（ｃ）はスリーブアンテナ１９３の水平面における水平偏波成分の指向性放射パターンを示した図である。
【００１９】
図３は、図２の各指向性放射パターンを重ね合わせた図である。垂直偏波成分に関しては、点線で示したように、モノポールアンテナ１９１の円形放射パターンにより、どの方向からの信号も拾いうる。水平偏波成分に関しては、実線で示したように、ダイポールアンテナ１９２とスリーブアンテナ１９３の８の字の放射パターンが重なって、どの方向からの信号も拾いうる。
【００２０】
最後に、本発明の実施の形態１におけるテレビ受信装置の回路構成について説明する。図４は基本回路構成図、図５は図４の中の最大比合成部の内部構成図である。
【００２１】
図４のように、本発明の実施の形態１におけるテレビ受信装置１００は、アンテナ部１９０（モノポールアンテナ１９１、ダイポールアンテナ１９２、スリーブアンテナ１９３）に接続された、低雑音増幅器１１１〜１１３、最大比合成部１２０、復調誤り訂正部１３０、映像音声復号部１４０、表示部１５０、スピーカ部１６０で構成されている。
【００２２】
テレビ受信装置１００は、アンテナ部１９０（１９１〜１９３）で受信した各々の信号を、各々低雑音増幅器１１１〜１１３で増幅し、最大比合成部１２０にて合成する。そして、テレビ受信装置１００は合成した信号を復調誤り訂正部１３０にて復調処理および誤り訂正処理が施され受信情報データ列として取り出し、映像音声復号部１４０にて映像信号および音声信号として表示部１５０およびスピーカ部１６０に出力する。
【００２３】
表示部１５０は、液晶表示器やプラズマ表示器等の表示デバイスとそのドライバ回路等で構成されており、受け取った映像信号から受信画像を描画表示する。スピーカ部１６０は、スピーカとその駆動増幅回路等で構成され、受け取った音声信号から音声を発生させる。なお、低雑音増幅器１１１〜１１３は、屋内・室内受信での放送電波の低電界強度環境およびアンテナ一体化に伴う種々の雑音電波混入に対し、アンテナ直下にて、低雑音指数の増幅器で受信電波を増幅することで感度改善を図るため好ましい構成であり、省略してアンテナと直結するものであっても構わない。
【００２４】
更に、本発明の実施の形態１におけるテレビ受信装置の基本回路構成の中の最大比合成部１２０について詳細に説明する。
【００２５】
図５のように、最大比合成部１２０は、フロントエンド部１２１１〜１２１３、アナログデジタル（Ａ／Ｄ）変換部１２２１〜１２２３、パイロット抽出伝送路推定部１２５１〜１２５３、位相補正重み付け部１２６１〜１２６３、加算合成部１２７で構成されている。この最大比合成部１２０は、米国等のデジタルテレビ放送方式であるＡＴＳＣ方式に代表されるシングルキャリア方式の場合の構成の一例を示したものである。
【００２６】
以下、ＡＴＳＣ方式の場合を例として動作を簡単に説明する。ＡＴＳＣ方式の場合の変調方式は、８値残留側波帯（ＶＳＢ）振幅変調方式が用いられる。当該変調方式で変調され、アンテナ部１９０の各アンテナで受信したテレビ信号は、まず、フロントエンド部１２１１〜１２１３にて、目的信号を選局し適当なレベルまで増幅すると同時に低い周波数帯に変換される。そして、Ａ／Ｄ変換部１２２１〜１２２３にてデジタル信号に変換される。ＡＴＳＣ方式の場合、搬送波信号が高いレベルで残存するので、この信号をパイロット信号として、位相補正重み付け部１２６１〜１２６３は各々の出力の位相が重なるように位相調整を行い、加算合成部１２７にて足し合わせ合成する。
【００２７】
この際、パイロット信号である搬送波信号の信号対雑音比も併せてパイロット抽出伝送路推定部１２５１〜１２５３で検出し、その値に比例して、位相補正重み付け部１２６１〜１２６３は重み付けも併せて行い、加算合成部１２７にて足し合わせ合成することがより好ましい。
【００２８】
なお、この重み付けに際して、信号対雑音比の代わりに、パイロット信号である搬送波信号のレベルを用いたり、あるいは、総信号のレベルを代わりに用いたりしても良い。さらには、ＡＴＳＣ信号は広帯域の信号であるので、マルチパス伝送路で周波数特性が乱れる線形歪を伴うことが多いが、特定の情報パターン等の信号特徴を用いて、伝送路特性の推定をパイロット抽出伝送路推定部１２５１〜１２５３では併せて行い、位相補正重み付け部１２６１〜１２６３では、上記、位相補正と重み付けと同時に、伝送路推定結果の逆数を掛けてマルチパス伝送路歪を補正して、加算合成部１２７で足し合わせ合成することが一層好ましい。このような構成処理を行うことで、最大比合成部１２０では、各々の入力信号をうまく補正調整して加算合成することで、信号対雑音比を積極的に高めた復調用の合成信号を得ることができる。
【００２９】
かかる構成によれば、互いに直交するエレメント配置を有する少なくとも３つのアンテナ、すなわち、垂直偏波を受け水平面内無指向性のアンテナと、水平偏波を受け互いの最大利得方向が互いに直交する２つのアンテナと、これらのアンテナでの受信信号を各々の搬送波位相を互いに合わせ適切な重み付けを行う位相補正重み付け部を経て、加算合成部で足し合わせて合成した信号を受信信号として復調を行うことにより、垂直偏波および水平偏波、水平面のいずれの方向からの到来波も利用し合成することで、受信信号の信号対雑音比を積極的に高めることができ、屋内・室内受信において、置いた場所で最大限の受信感度を得て、より良好なテレビ視聴を行うことができる。
【００３０】
なお、本実施の形態において、最大比合成部１２０を米国等のデジタルテレビ放送方式であるＡＴＳＣ方式に代表されるシングルキャリア方式の場合の構成としたが、日本や欧州等のデジタルテレビ放送方式であるＩＳＤＢ−Ｔ方式やＤＶＢ−Ｔ方式に代表される多数の副搬送波を用いた直交周波数多重（ＯＦＤＭ）方式の場合の構成としても良い。
【００３１】
その場合は、図６のように、最大比合成部１２０は、フロントエンド部１２１１〜１２１３、アナログデジタル（Ａ／Ｄ）変換部１２２１〜１２２３、ガードインターバル（ＧＩ）除去周波数制御部１２３１〜１２３３、高速フーリエ変換（ＦＦＴ）部１２４１〜１２４３、パイロット抽出伝送路推定部１２５１〜１２５３、位相補正重み付け部１２６１〜１２６３、加算合成部１２７で構成されている。この最大比合成部１２０は、日本や欧州等のデジタルテレビ放送方式であるＩＳＤＢ−Ｔ方式やＤＶＢ−Ｔ方式に代表される多数の副搬送波を用いた直交周波数多重（ＯＦＤＭ）方式の場合の構成の一例を示したものである。
【００３２】
フロントエンド部１２１１〜１２１３、アナログデジタル（Ａ／Ｄ）変換部１２２１〜１２２３は、図５での説明と同様であるので省略する。デジタル信号になった各々受信信号は、ＧＩ除去周波数制御部１２３１〜１２３３にて、まず、ガードインターバル信号等を用いて、周波数ずれを補正し、また、適当なシンボルタイミングを検出し、ガードインターバル信号を除去し、ＦＦＴ部１２４１〜１２４３に信号情報を整理調整して入力する。ＦＦＴ部１２４１〜１２４３は、各々受信信号を副搬送波毎に分解して出力する。パイロット抽出伝送路推定部１２５１〜１２５３は、シンボル方向および副搬送波方向の両方向に規則的に送信側で予め挿入されたパイロット信号を抽出し、これらから内挿外挿することで、各副搬送波の振幅と位相を求め、同時にマルチパス伝送路での線形歪を受けた伝送路特性の推定を行う。位相補正重み付け部１２６１〜１２６３は、伝送路推定結果の逆数を掛けてマルチパス伝送路歪を補正（周波数等化）すると共に、各系統の対応副搬送波間で位相が重なるように位相調整を行い、加算合成部１２７にて副搬送波毎に足し合わせ合成する。この際、各副搬送波の信号対雑音比の値に比例して、位相補正重み付け部１２６１〜１２６３は重み付けも併せて行い、加算合成部１２７にて足し合わせ合成することがより好ましい。なお、この重み付けに際して、信号対雑音比の代わりに、各副搬送波のレベルを代わりに用いても良い。このような構成処理を行うことで、最大比合成部１２０では、各々の入力信号を副搬送波毎にうまく補正調整して加算合成することで、信号対雑音比を積極的に高めた復調用の合成信号を得ることができる。
【００３３】
（実施の形態２）
図７は、本発明の実施の形態２のテレビ受信装置のアンテナ構成図である。併せて、図８は各アンテナの水平面指向性放射パターン図、図９は重ね合わせた水平面指向性放射パターン図、図１０は基本回路構成図を示す。
【００３４】
図７において、１９１１および１９１２はモノポールアンテナであって、実施の形態１の図１と異なっているのは、１本のスリーブアンテナ１９３の代わりに、可動できる２本のモノポールアンテナ１９１１および１９１２を配置したことであり、その他は実施の形態１の図１の説明と同様であるので説明を省略する。
【００３５】
図８において、各々、図８（ａ）はモノポールアンテナ１９１の水平面における垂直偏波成分の指向性放射パターン、図８（ｂ）はダイポールアンテナ１９２の水平面における水平偏波成分の指向性放射パターン、図８（ｃ）はモノポールアンテナ１９１１の水平面における水平偏波成分の指向性放射パターン、図８（ｄ）はモノポールアンテナ１９１２の水平面における水平偏波成分の指向性放射パターンを示した図である。モノポールアンテナ１９１１および１９１２は、水平面に平行性を保ちながら、左右に向きを振ると、図８（ｃ）あるいは図８（ｄ）に示すように、指向性放射パターンは左右に回転する。なお、モノポールアンテナ１９１１および１９１２をさらに上下に振った場合は、水平面の指向性放射パターンはほぼそのままに、垂直偏波成分をこれらのアンテナでも拾うことができるようになる。
【００３６】
図９は、図８の各指向性放射パターンを重ね合わせて書いたものである。一般にテレビ放送においては、水平偏波にて送信されることが多く、この場合、２本に増やしたモノポールアンテナ１９１１および１９１２は、垂直に配置されたモノポールアンテナ１９１と直交性を保ち、水平面に対して平行に配置されるのが好ましい。ダイポールアンテナ１９２に対しても直交性を保って２本配置しても良いが、水平偏波成分に関して実線で示したように、モノポールアンテナ１９１１および１９１２をダイポールアンテナ１９２に対して水平面内、直交方向の左右に３０°程度振ることで、ダイポールアンテナ１９２の８の字の放射パターンと合せて、水平偏波成分に関してより万遍無くどの方向からの信号も効率的に拾いうるようにできる。一部の放送局においては、垂直偏波にて送信されることがあるが、この場合、垂直偏波成分に関しては、点線で示したように、モノポールアンテナ１９１の円形放射パターンに加え、今度は、モノポールアンテナ１９１１および１９１２のどちらか片方ないしは両方をダイポールアンテナ１９２と直交を保ちながら上下に振ることで、垂直偏波成分をこれらのアンテナでも拾うことができ、より垂直偏波成分を拾うようにできる。
【００３７】
また、アンテナ部１９０を構成するアンテナの内の１つ以上のアンテナを可動にすることで、ぎりぎりの受信感度場所において、たまたま受信しづらい場所にテレビ受信装置１００を置いたとしても、シャーシ本体１０２そのものは動かさずして、可動できるアンテナ、すなわち、図７の例では、モノポールアンテナ１９１１あるいは１９１２を動かすことで、垂直偏波・水平偏波、指向性放射パターンの各アンテナでの分担を変えて、受信可能状態を探し出せる利点が生まれる。
【００３８】
図１０は対応する回路構成図を示したものであるが、実施の形態１の図４に比べ、最大比合成部１２０の前の系統数が増えるだけで、全く同様であるので説明を省略する。最大比合成部１２０の内部構成図に関しても、実施の形態１の図５あるいは図６の加算合成部１２７の前の系統数が増えるだけで、全く同様なので、構成図および説明を省略する。なお、アンテナ数、すなわち、系統数は、任意に増やすことができ、アンテナ部１９０を構成する各アンテナの偏波成分および指向特性のカバー範囲が、適度な重なりを有しつつも、万遍無く分散分担することで、数の増大と共に、より良いテレビ視聴が期待できる。
【００３９】
かかる構成によれば、実施の形態１に加えて、本実施の形態においては、アンテナ数を増やし、放送局の水平偏波か垂直偏波かの送信波に合わせて、一部のアンテナを水平あるいは垂直方向に可動にすることで、垂直偏波および水平偏波、水平面のいずれの方向からの到来波もより効率よく利用し合成することで、受信信号の信号対雑音比をさらに高めることができ、屋内・室内受信において、置いた場所で最大限の受信感度を得て、より良好なテレビ視聴を行うことができる。加えて、可動アンテナを動かすことで、本体は好みの場所そのままで動かさずして、垂直偏波・水平偏波、指向性放射パターンの各アンテナでの分担を変えて、ぎりぎりの受信条件場所での受信可能状態を探し出せる利点が生まれる。
【００４０】
なお、アンテナ数を直交関係を保ち、かつ、垂直偏波、水平偏波、水平面のいずれの方向もカバーできる最小の３個より増やすことで、冗長を活かして上記利点が生まれるが、可動できるアンテナは、１つ以上すべてまで、また、どのアンテナを可動にしても良い。アンテナの種別もさらに色々な種類のアンテナの適用が可能である。以下、いくつか例と利点を示す。
【００４１】
図１１において、テレビ受信装置１００は、ホイップアンテナ１９４１および１９４２を有し、ホイップアンテナ１９４１および１９４２はエレメント長を３／４波長等より長くすることで受信性能を高めると共に、柔軟性のある材料を用いることで可動性も実現しやすい。エレメント長を長くしたホイップアンテナ１９４１および１９４２のアンテナ放射パターンは上下方向で抑圧される分、水平面での水平偏波の感度が良くなり、さらに、下方向に伸ばされていることより垂直偏波に対しても感度をもっている。
【００４２】
図１２において、テレビ受信装置１００は、スリーブアンテナ１９３１および１９３２を有し、スリーブアンテナ１９３１および１９３２はモノポールやホイップ等とは異なり、シャーシをグランドとして使用しないので、シャーシ本体１０２に直接取り付けたアンテナで問題となりやすい、本体回路から種々発生する雑音信号を拾いにくく、より感度の良いテレビ受信装置を実現しやすい利点を生ずる。
【００４３】
図１３において、テレビ受信装置１００は、ダイポールアンテナ１９２１および１９２２を有し、ダイポールアンテナ１９２１および１９２２はシャーシをグランドとして使用しない平衡型のアンテナを用いることで、シャーシ本体１０２に直接取り付けたアンテナで問題となりやすい、本体回路から種々発生する雑音信号を拾いにくく、より感度の良いテレビ受信装置を実現しやすい利点を生ずる。図１４においては、さらに、ダイポールアンテナ１９２１および１９２２を上方、両肩部分に取り付けることで、本体回路から種々発生する雑音信号をより拾いにくく、さらに感度の良いテレビ受信装置を実現しやすい利点を生ずる。
【００４４】
図１５において、テレビ受信装置１００は、Ｖ型ダイポールアンテナ１９５１および１９５２を有し、Ｖ型ダイポールアンテナ１９５１および１９５２を変形したＶ型ダイポールとすることで、ノイズを拾いにくくする利点に加え、指向特性を左右のＶ型ダイポールアンテナ１９５１および１９５２で振り分け、シャーシ本体１０２の外側方向へ指向性を振ることで、さらに感度の良いテレビ受信装置を実現できる利点を生ずる。
【００４５】
図１６において、テレビ受信装置１００は、円形ループアンテナ１９６１および１９６２を有し、円形ループアンテナ１９６１および１９６２はシャーシをグランドとして使用しない平衡型のアンテナをより高い位置に設けることで、本体回路から種々発生する雑音信号をより拾いにくく、感度の良いテレビ受信装置を実現しやすい利点を生ずる。
【００４６】
図１７において、テレビ受信装置１００は、矩形ループアンテナ１９７１および１９７２を有し、矩形ループアンテナ１９７１および１９７２が雑音に強い平衡型アンテナであることに加え、ユーザ使用上および美観上の難点となる、後方および上方への張り出しを少なく抑えることができる利点を生じる。なお、図１７のように、給電点を下方に取るより、図１８のように、給電点を上方に取ることで、アンテナ端子を互いに近い配置にでき、また、電流分布の腹となる給電点を高い位置にすることでより高い信号対雑音比を得る上で有利となる。矩形ループアンテナは、全長がほぼ波長λの線状エレメントで構成され、矩形ループ面の垂直方向に放射パターンをもち、矩形の長辺方向が上下であるために、上下方向の受信感度が抑圧される分、水平面の水平偏波の感度は良好である。
【００４７】
図１９において、オフセットダイポール１９２３は、図１５における上部のダイポール１９２の給電位置を変形した場合で、水平偏波の指向性は通常のダイポールと同じである。また、オフセットダイポール１９２３の給電位置がモノポール１９１と大きく離れることで、ダイポールの平行給電線とモノポール１９１との干渉がなくなり円形の指向性が保たれる。したがって、図１８の実施形態ではダイポールアンテナ１９０の給電位置とモノポールアンテナの給電位置は同一線上である制約があったが、本実施例ではテレビ本体の上部における給電位置の選択に自由度を与えることの利点を生ずる。
【００４８】
図２０において、モノポールアンテナ１９１３はシャーシ本体１０２の上端部に沿って先端を開放とした線状アンテナであり、シャーシ本体１０２と線状部に発生する垂直偏波を拾うことができ、その指向性は概ね円形である。また、ダイポールアンテナ１９２との干渉することなく本実施例ではテレビ本体の上部における給電位置の選択に自由度を与えることの利点を生ずる。
【００４９】
（実施の形態３）
図２１は、本発明の実施の形態３におけるテレビ受信装置のアンテナ構成図である。
【００５０】
図２１において、テレビ受信装置１００は、アンテナ切り替え部１７０、外部アンテナ接続部１８０、アンテナケーブル２００、室外アンテナ２１０、室内アンテナ２２０であり、実施の形態２と異なるのは、アンテナ切り替え部１７０を設けて、１つの系統（ここではモノポールアンテナ１９１１）の代わりに、外部アンテナ接続部１８０を介して、アンテナケーブル２００を介して壁面アンテナ端子２０５に接続され室外アンテナ２１０に繋がる、あるいは、室内アンテナ２２０を繋いで使用する。その他は実施の形態１および２にて説明と同様なので省略する。
【００５１】
かかる構成によれば、実施の形態１および２に加えて、本実施の形態においては、アンテナ切り替え部を設けて、１つの系統の代わりに、外部アンテナを接続できるようにしたことで、近くに屋外アンテナ端子がある場合や傍に室内アンテナを追加することで、実施の形態１で説明したように、直交配置である３本のアンテナで、垂直・水平偏波、水平面内全周の到来波電力を活かした上に、さらに、追加アンテナの信号を足し合わせて、受信信号の信号対雑音比をさらに高めて、より良好で安定なテレビ視聴を行うことができる。
【産業上の利用可能性】
【００５２】
本発明にかかるテレビ受信装置は、屋内・室内の乱反射環境にて、アンテナ付きテレビ受信装置を無造作にどこに置いても、垂直偏波および水平偏波、水平面のいずれの方向からの到来波も利用し合成することで、受信信号の信号対雑音比を積極的に高めることができ、より良好で安定したテレビ視聴を行えるので、屋内・室内用でフリースタイルに視聴するテレビ受信装置等として有用である。
【図面の簡単な説明】
【００５３】
【図１】本発明の実施の形態１におけるテレビ受信装置の基本アンテナ構成図
【図２】本発明の実施の形態１におけるテレビ受信装置の各アンテナの水平面指向性放射パターン図
【図３】本発明の実施の形態１におけるテレビ受信装置の重ね合わせた水平面指向性放射パターン図
【図４】本発明の実施の形態１におけるテレビ受信装置の基本回路構成図
【図５】本発明の実施の形態１におけるテレビ受信装置の最大比合成部の内部構成図
【図６】本発明の実施の形態１におけるテレビ受信装置の最大比合成部の内部構成図
【図７】本発明の実施の形態２のテレビ受信装置のアンテナ構成図
【図８】本発明の実施の形態２におけるテレビ受信装置の各アンテナの水平面指向性放射パターン図
【図９】本発明の実施の形態２におけるテレビ受信装置の重ね合わせた水平面指向性放射パターン図
【図１０】本発明の実施の形態２におけるテレビ受信装置の基本回路構成図
【図１１】本発明の実施の形態２における他のテレビ受信装置の基本アンテナ構成図
【図１２】本発明の実施の形態２における他のテレビ受信装置の基本アンテナ構成図
【図１３】本発明の実施の形態２における他のテレビ受信装置の基本アンテナ構成図
【図１４】本発明の実施の形態２における他のテレビ受信装置の基本アンテナ構成図
【図１５】本発明の実施の形態２における他のテレビ受信装置の基本アンテナ構成図
【図１６】本発明の実施の形態２における他のテレビ受信装置の基本アンテナ構成図
【図１７】本発明の実施の形態２における他のテレビ受信装置の基本アンテナ構成図
【図１８】本発明の実施の形態２における他のテレビ受信装置の基本アンテナ構成図
【図１９】本発明の実施の形態２における他のテレビ受信装置の基本アンテナ構成図
【図２０】本発明の実施の形態２における他のテレビ受信装置の基本アンテナ構成図
【図２１】本発明の実施の形態３におけるテレビ受信装置のアンテナ構成図
【図２２】従来の第１のアンテナ構成図
【図２３】従来の第２のアンテナ構成図
【図２４】従来の第３のアンテナ構成図
【図２５】従来の第４のアンテナ構成図
【符号の説明】
【００５４】
１００    テレビ受信装置
１０２    シャーシ本体
１０３    支持部
１１１〜１１３    低雑音増幅器
１２０    最大比合成部
１２１１〜１２１３    フロントエンド部
１２２１〜１２２３    アナログデジタル（Ａ／Ｄ）変換部
１２３１〜１２３３    ガードインターバル（ＧＩ）除去周波数制御部
１２４１〜１２４３    高速フーリエ変換（ＦＦＴ）部
１２５１〜１２５３    パイロット抽出伝送路推定部
１２６１〜１２６３    位相補正重み付け部
１２７    加算合成部
１３０    復調誤り訂正部
１４０    映像音声復号部
１５０    表示部
１６０    スピーカ部
１７０    アンテナ切替部
１８０    外部アンテナ接続部
１９０    アンテナ部
１９１、１９１１、１９１２    モノポールアンテナ
１９１３    Ｌ字型モノポールアンテナ
１９２、１９２１、１９２２    ダイポールアンテナ
１９２３    オフセットダイポール
１９３、１９３１、１９３２    スリーブアンテナ
１９４１、１９４２    ホイップアンテナ
１９５１、１９５２    Ｖ型ダイポールアンテナ
１９６１、１９６２    円形ループアンテナ
１９７１、１９７２    矩形ループアンテナ
２００    アンテナケーブル
２０５    壁面アンテナ端子
２１０    室外アンテナ
２２０    室内アンテナ
【図１】
2012094931.tif 000003
【図２】
2012094931.tif 000004
【図３】
2012094931.tif 000005
【図４】
2012094931.tif 000006
【図５】
2012094931.tif 000007
【図６】
2012094931.tif 000008
【図７】
2012094931.tif 000009
【図８】
2012094931.tif 000010
【図９】
2012094931.tif 000011
【図１０】
2012094931.tif 000012
【図１１】
2012094931.tif 000013
【図１２】
2012094931.tif 000014
【図１３】
2012094931.tif 000015
【図１４】
2012094931.tif 000016
【図１５】
2012094931.tif 000017
【図１６】
2012094931.tif 000018
【図１７】
2012094931.tif 000019
【図１８】
2012094931.tif 000020
【図１９】
2012094931.tif 000021
【図２０】
2012094931.tif 000022
【図２１】
2012094931.tif 000023
【図２２】
2012094931.tif 000024
【図２３】
2012094931.tif 000025
【図２４】
2012094931.tif 000026
【図２５】
2012094931.tif 000027